(57)【要約】【課題】  バルブ交換を必要とせずに簡潔な構造で輝度バランスを容易に調整し得ることができる計器の照明装置を提供すること。【解決手段】  文字板１３，１５を装着したケース２１と、ケース２１を覆って被着され、文字板用の開口２９，３０を有する見返し１２と、を備えた計器１の文字板１３，１５を照明する計器１の照明装置１０であって、見返し１２の上面に、複数のＬＥＤと、不規則な照射調整孔群３５と、を設けた計器１の照明装置１０。【選択図】  図１
2006098079.tif 000002
【特許請求の範囲】
【請求項１】
文字板を装着したケースと、
前記ケースを覆って被着され、前記文字板用の開口を有する見返しと、
を備えた計器の前記文字板を照明する計器の照明装置であって、
前記見返しの上面に、複数のＬＥＤと、不規則な照射調整孔群と、を設けたことを特徴とする計器の照明装置。
【請求項２】
前記照射調整孔群が、前記複数のＬＥＤが射出したＬＥＤ光を前記文字板面において複数に分割して照射することで、主要文字板部分を均等照射可能であることを特徴とする請求項１に記載した計器の照明装置。
【請求項３】
前記見返しのひさし部に、前記照射調整孔群が底部に形成されていて上部が開放された光源収容部を有し、該光源収容部内に前記複数のＬＥＤを有する回路基板が組み付けられ、前記光源収容部がカバー部材によって遮光されて閉塞されていることを特徴とする請求項１又は２に記載した計器の照明装置。
【発明の詳細な説明】
【技術分野】
【０００１】
本発明は、例えば自動車に搭載されるコンビネーションメーターなどの計器に用いられる照明装置、特に見返しの外側に配置された光源からの光で文字板を直接照明する直接照明方式の計器の照明装置に関する。
【背景技術】
【０００２】
従来の計器の照明装置の一例として、見返しの上壁に輝度調整用の開口部を形成した計器の照明装置が知られている（例えば、特許文献１参照）。
【０００３】
図４に示すように、上記特許文献１に開示された計器の照明装置１００は、文字板１０１の前部上方で見返し１０２のひさし部１０３上に形成された光源収容部１０４内に照明バルブ１０５が組み付けられており、照明バルブ１０５と文字板１０１との間の開口部１０６にカラーフィルタ１０７が取付けられている。
【０００４】
このような計器の照明装置１００では、夜間照明時に、照明バルブ１０５が点灯することによって、開口部１０６の周縁部で表ガラス１０８側への不要な照明を遮り、カラーフィルタ１０７で調光された光が開口部１０６を透過して文字板１０１の前面と指針１０９および文字板１０１の周縁の見返し１０２の前面を斜め前方より直接照明して、安定した輝度バランスを得るようにしている。
【特許文献１】特開平０８−２０１１２１号公報（第２〜３頁、図１）
【発明の開示】
【発明が解決しようとする課題】
【０００５】
ところが、上記特許文献１に開示された計器の照明装置１００においては、照明バルブ１０５が切れることがあるために、その際のバルブ交換が必要である。
また、照明バランスを調整するためのカラーフィルタ１０７が必要であるために部品点数が多くなる。
【０００６】
本発明は、上述した事情に鑑みてなされたものであり、その目的は、バルブ交換を必要とせずに簡潔な構造で輝度バランスを容易に調整し得ることができる計器の照明装置を提供することにある。
【課題を解決するための手段】
【０００７】
１）本発明に係る計器の照明装置は、文字板を装着したケースと、前記ケースを覆って被着され、前記文字板用の開口を有する見返しと、を備えた計器の前記文字板を照明する計器の照明装置であって、前記見返しの上面に、複数のＬＥＤと、不規則な照射調整孔群と、を設けたことを特徴とする。
【０００８】
上記１）に記載の発明によれば、複数のＬＥＤが射出したＬＥＤ光は、照射調整孔群を通って文字板を照射する際に、照射調整孔群が不規則に配列されているために、不規則に組み合わされる。従って、照射調整孔群の孔形状および数を任意に設定することにより、文字板に対して複数に組み合わされるＬＥＤ光を変更できるので、文字板に対する輝度バランスを容易に調整して得ることができる。また、従来のものと比べて、カラーフィルタ等の付加部品を必要としないので、簡単な構造にすることができるとともに、ＬＥＤがメンテナンス性に優れるために交換の必要性が無いので、従来の照明バルブのものと比べて交換作業にかかる時間を削減することができる。
【０００９】
２）本発明に係る計器の照明装置は、上記１）に記載した計器の照明装置において、前記照射調整孔群が、前記複数のＬＥＤが射出したＬＥＤ光を前記文字板面において複数に分割して照射することで、主要文字板部分を均等照射可能であることを特徴とする。
【００１０】
上記２）に記載の発明によれば、複数のＬＥＤが射出したＬＥＤ光は、照射調整孔群を通じて進行することにより、複数に分割されて文字板を照射するために、文字板の主要な部分を均等に照射することができる。これにより、文字板の端縁や文字板上の表示の無い部分等の照明が不要な部分を照射せずに、必要な部分への集中的な照射を行うことにより光の演出を行うことができる。
【００１１】
３）本発明に係る計器の照明装置は、上記１）又は２）に記載した計器の照明装置において、前記見返しのひさし部に、前記照射調整孔群が底部に形成されていて上部が開放された光源収容部を有し、該光源収容部内に前記複数のＬＥＤを有する回路基板が組み付けられ、前記光源収容部がカバー部材によって遮光されて閉塞されていることを特徴とする。
【００１２】
上記３）に記載の発明によれば、光源収容部内に複数のＬＥＤを有する回路基板が組み付けられて、光源収容部がカバー部材によって閉塞されることにより遮光されるので、外部にＬＥＤ光を漏洩させることなくＬＥＤ光を無駄なく使用することができる。
【発明の効果】
【００１３】
本発明の計器の照明装置によれば、バルブ交換が必要である、照明バランスを調整するカラーフィルタが必要であるために部品点数が多くなるという問題を解消でき、バルブ交換を必要とせずに簡潔な構造で輝度バランスを容易に調整し得ることができる。
【発明を実施するための最良の形態】
【００１４】
以下、本発明に係る好適な実施の形態例を図面に基づいて詳細に説明する。
図１は本発明に係る計器の照明装置の一実施形態が用いられる計器の分解斜視図、図２は図１に示す計器の照明装置の断面図、図３は図１に示す計器の聡明装置における光の照射状態を示す斜視図である。
【００１５】
図１に示すように、本発明の一実施形態である計器の照明装置が用いられる計器１は、アナログ２針式コンビネーションメーターであって、クリアレンズ１１と、見返し１２と、タコメーター文字板１３と、タコメーター指針１４と、スピードメーター文字板１５と、スピードメーター指針１６と、一対のウォーニングレンズ１７，１８と、ターンレンズ１９と、センターレンズ２０と、ケース２１と、メーター基板２２と、裏カバー２３と、から構成され、ＬＥＤ基板２４と、照明カバー２５と、を含んで照明装置１０が構成されている。
【００１６】
クリアカバー１１は、透明な樹脂製であり、見返し１２の前面を覆って見返し１２に組み付けられる。
【００１７】
見返し１２は、縦板部２６と、縦板部２６の上端部から車室内側に向けて突出したひさし部２７と、を有する。縦板部２６には、中央部にセンター表示用開口２８と、ターン表示用開口（不図示）を有し、センター表示用開口２８の両側に、一対の文字板用開口２９，３０と、一対のウォーニング用開口３１，３２と、を有する。また、ひさし部２７の中央部に光源収容部３３を有する。光源収容部３３は、四方の側部が囲まれた上部が開放された形状に形成されている。そして、光源収容部３３の底板３４に複数の５個の第１，第２，第３，第４，第５孔３６，３７，３８，３９，４０からなる照射調整孔群３５を有する。見返し１２は、後面がケース２１の前面に組み付けられる。
【００１８】
タコメーター文字板１３は、例えば、ポリカーボネイト製の薄い板であり、中央部にタコメーター指針１４挿通用の指針孔４１を有し、外周側に円弧形状のタコメーター表示部４２を有する。タコメーター用文字板１３は、ケース２１の右方側に形成されたタコメーター文字板取付部４３に装着され、タコメーター指針１４の指針袴が指針孔４１に挿通されて、タコメーター指針１４がメーター基板２２に取付けられているタコメータームーブメント４４に組み付けられる。
【００１９】
スピードメーター文字板１５は、タコメーター文字板１３と同様の、例えば、ポリカーボネイト製の薄い板であり、中央部にスピードメーター指針１６挿通用の指針孔４５を有し、外周側に円弧形状のスピードメーター表示部４６を有する。スピードメーター用文字板１５は、ケース２１の左方側に形成されたスピードメーター文字板取付部４７に装着され、スピードメーター指針１６の指針袴が指針孔４５に挿通されて、スピードメーター指針１６がメーター基板２２に取付けられているスピードメータームーブメント４８に組み付けられる。
【００２０】
一対のウォーニングレンズ１７，１８のうちの右方側に配置される一方のウォーニングレンズ１７は、例えば、ポリカーボネイト製の薄い板であり、例えば、油圧警告表示、スポーツ走行表示、回転シート表示、エンジン警告表示、レーダー汚れ警告表示、等が印刷等により表示されている。ウォーニングレンズ１７は、ケース２１の右端側に形成されたウォーニングレンズ取付部５０に装着される。
【００２１】
一対のウォーニングレンズ１７，１８のうちの左方側に配置される他方のウォーニングレンズ１８は、一方のウォーニングレンズ１７と同様にして、例えば、ポリカーボネイト製の薄い板であり、例えば、リアフォグランプ表示、燃料残量表示、半ドア警告表示、シートベルト警告表示、ブレーキ警告表示、等が印刷等により表示されている。ウォーニングレンズ１８は、ケース２１の左端側に形成されたウォーニングレンズ取付部５１に装着される。
【００２２】
ターンレンズ１９は、着色された樹脂製の板部材であって、ケース２１の中央上部に形成されているターンレンズ取付部５２に装着される。
【００２３】
センターレンズ２０は、着色された樹脂製の板部材であって、ケース２１の中央下部に形成されているセンターレンズ取付部５３に装着される。
【００２４】
ケース２１は、例えば、プラスチック製であり、中央上部にターンレンズ取付部５２が、中央下部にセンターレンズ取付部５３が、右側にタコメーター文字板取付部４３が、左側にスピードメーター文字板取付部４７が、右端部にウォーニングレンズ取付部５０が、左端部にウォーニングレンズ取付部５１がそれぞれ形成されている。
【００２５】
ターンレンズ取付部５２は、メーター基板２２の中央上部に取付けられている左折表示用ＬＥＤ５４，ハイビーム表示用ＬＥＤ５５，右折表示用ＬＥＤ５６が射出したＬＥＤ光を通すための光路孔５７，５８，５９を独立して有する。センターレンズ取付部５３は、メーター基板２２の中央下部に取付けられているエアバック警告表示用ＬＥＤ６０，イグニション表示用ＬＥＤ６１が射出したＬＥＤ光を通すための光路孔６２，６３を独立して有する。
【００２６】
タコメーター文字板取付部４３，スピードメーター文字板取付部４７は、円形状の開口に形成されており、メーター基板２２上に貫通される。
【００２７】
ウォーニングレンズ取付部５０は、メーター基板２２の右端部に取付けられている油圧警告表示用ＬＥＤ６４，スポーツ走行表示用ＬＥＤ６５，回転シート表示用ＬＥＤ６６，エンジン警告表示用ＬＥＤ６７，レーダー汚れ警告表示用ＬＥＤ６８が射出したＬＥＤ光を通すための光路孔６９，７０，７１，７２，７３を独立して有する。
【００２８】
ウォーニングレンズ取付部５１は、メーター基板２２の左端部に取付けられているリアフォグランプ表示用ＬＥＤ７４，燃料残量表示用ＬＥＤ７５，半ドア警告表示用ＬＥＤ７６，シートベルト警告表示用ＬＥＤ７７，ブレーキ警告表示用ＬＥＤ７８が射出したＬＥＤ光を通すための光路孔７９，８０，８１，８２，８３を独立して有する。
【００２９】
メーター基板２２には、その後面に、ＩＣチップ等の電子部品（不図示）が取り付けられている。また、その前面の中央上部に左折表示用ＬＥＤ５４，ハイビーム表示用ＬＥＤ５５，右折表示用ＬＥＤ５６が取り付けられている。また、中央下部にイグニション表示用ＬＥＤ６０，エアバック警告表示用ＬＥＤ６１が取り付けられている。また、右端部に油圧警告表示用ＬＥＤ６４，スポーツ走行表示用ＬＥＤ６５，回転シート表示用ＬＥＤ６６，エンジン警告表示用ＬＥＤ６７，レーダー汚れ警告表示用ＬＥＤ６８が取り付けられている。
【００３０】
また、左端部にリアフォグランプ表示用ＬＥＤ７４，燃料残量表示用ＬＥＤ７５，半ドア警告表示用ＬＥＤ７６，シートベルト警告表示用ＬＥＤ７７，ブレーキ警告表示用ＬＥＤ７８が取り付けられている。また、右方側にタコメータームーブメント４４、左方側にスピードメータームーブメント４８がそれぞれ取付けられている。メーター基板２２はケース２１の後面に組み付けられる。
【００３１】
裏カバー２３は、ケース２２と同様のプラスチック製であり、メーター基板２２を挟んでケース２１の後面に一体的に組み付けられる。
【００３２】
ＬＥＤ基板２４は、四角形に形成されており、下面に、複数の５個の第１，第２，第３，第４，第５文字板照明用ＬＥＤ（図３に示す）８４，８５，８６，８７，８８が取付けられている。各文字板照明用ＬＥＤ８４，８５，８６，８７，８８は、ワイヤハーネス８９にそれぞれ電気的に接続されており、ワイヤハーネス８９がコネクタ９０に接続されている。コネクタ９０は、照明制御回路（不図示）に接続されているコネクタ（不図示）に挿着される。ＬＥＤ基板２４は、光源収容部３３の開放側の上部に組み付けられる。
【００３３】
照明カバー２５は、光源収容部３３の開放側の上部を覆う板形状にされており、ひさし部２７の上面にねじ止めされる。
【００３４】
このような計器１は、ケース２１の裏面にメーター基板２２が組み付けられてから、タコメーター文字板取付部４３にタコメーター文字板１３が装着され、スピードメーター文字板取付部４７にスピードメーター文字板１５が装着され、タコメーター指針１４がタコメーター文字板１３を介してタコメータームーブメント４４に取付けられ、スピードメーター指針１６がスピードメーター文字板１５を介してスピードメータームーブメント４８に取り付けられる。
【００３５】
また、ケース２１の前面において、ターンレンズ取付部５２にターンレンズ１９が装着され、センターレンズ取付部５３にセンターレンズ２０が装着され、ウォーニングレンズ取付部５０，５１にウォーニングレンズ１７，１８が装着される。そして、クリアレンズ１１を組み付けた見返し１２がケース２１の前面に組み付けられるとともに、裏カバー２３がケース２１の裏面に組み付けられる。そして、ＬＥＤ基板２４が光源収容部３３の開放側の上部に組み付けられてから、照明カバー２５がひさし部２７の上面にねじ止めされて組み立てが完了する。
【００３６】
図２に示すように、光源収容部３３は、スピードメーター文字板１３およびタコメーター文字板１５の前方上方に配置されるために、内部に収容された第１，第２，第３，第４，第５文字板照明用ＬＥＤ８４，８５，８６，８７，８８が射出したＬＥＤ光を、光源収容部３３の底板３４を遮光板として５個の第１，第２，第３，第４，第５孔３６，３７，３８，３９，４０からなる照射調整孔群３５のみを通じてスピードメーター文字板１３およびタコメーター文字板１５を照射する。ここで、光源収容部３３は、上部が照明カバー２５によって閉塞されることにより遮光されるので、外部にＬＥＤ光を漏洩させることなくＬＥＤ光を無駄なく使用することができる。
【００３７】
また、第１，第２，第３，第４，第５文字板照明用ＬＥＤ８４，８５，８６，８７，８８が用いられるために、従来のものと比べて、カラーフィルタ等の付加部品を必要としないので、簡単な構造にすることができるとともに、ＬＥＤがメンテナンス性に優れるために交換の必要性が無いので、従来の照明バルブのものと比べて交換作業にかかる時間を削減することができる。
【００３８】
次に、図３を参照して、第１，第２，第３，第４，第５文字板照明用ＬＥＤ８４，８５，８６，８７，８８が射出したＬＥＤ光と、照射調整孔群３５の第１，第２，第３，第４，第５孔３６，３７，３８，３９，４０と、の作用について詳細に説明する。
【００３９】
光源収容部３３の底板３４に形成された照射調整孔群３５は、第１，第２，第３，第４，第５孔３６，３７，３８，３９，４０がタコメーター文字板１５側からスピードメーター文字板１３に向けて１列に整列されている。第１，第２孔３６，３７は、底板３４の右側に配置されており、主として、タコメーター文字板１３の照明に用いられる。これに対して、第３，第４，第５孔３８，３９，４０は、底板３４の左側に配置されており、主として、スピードメーター文字板１５の照明に用いられる。
【００４０】
第１孔３６は、前方側が横長の直線状に形成されているとともに、後方側が円弧形状に形成されている。第２孔３７は、前方側が段部を伴って手前部分と後方部分との２段の横長の直線状に形成されているとともに、後方側が２段の前方側に対応した２個の連続した円弧形状に形成されている。第３孔３８は、前方側が第２孔３７の後方部分と一致する横長の直線状に形成されているとともに、後方側が２個の連続した円弧形状に形成されている。第４孔３９は、前方側が第３孔３８の前方側と一致する横長の直線状に形成されているとともに、後方側が円弧形状に形成されている。第５孔４０は、第３孔３８と第４孔３９との間の後方側に配置されており、連続する円弧形状に形成されている。このように、第１，第２，第３，第４，第５孔３６，３７，３８，３９，４０は、孔形状、孔径および配置が不規則にされている。
【００４１】
そして、第１文字板照明用ＬＥＤ８４は、第１孔３６の円弧形状部分の左方側の上方部に離れて配置され、第２文字板照明用ＬＥＤ８５は、第２孔３７の円弧形状部分の上方部に離れて配置されている。また、第３文字板照明用ＬＥＤ８６は、第２孔３７の円弧形状部分と第３孔３８の円弧形状部分との間の上方部に離れて配置され、第４文字板照明用ＬＥＤ８７は、第３孔３８の円弧形状部分の上方部に離れて配置されている。また、第５文字板照明用ＬＥＤ８８は、第３孔３８と第４孔３９の円弧形状部分の上方部で、第５孔４０の上方部に離れて配置されている。
【００４２】
第１文字板照明用ＬＥＤ８４が射出したＬＥＤ光は、第１孔３６内のみを通って下方に向けて照射されるために、タコメーター文字板１３の中央部分および右方側部分を照射する第１照射範囲Ａを創生する。このとき、第１照射範囲Ａは、照射調整孔群３５の第１孔３６の孔形状および孔径により、タコメーター文字板１３のタコメーター表示部４２を集中的に照射するために、タコメーター文字板１３の外周部分およびタコメーター文字板１３の下方部分は照射しない。
【００４３】
第２文字板照明用ＬＥＤ８５が射出したＬＥＤ光は、第２孔３７内のみを通って下方に向けて照射されるために、タコメーター文字板１３の中央部分および左方側部分を照射する第２照射範囲Ｂを創生する。このとき、第２照射範囲Ｂは、照射調整孔群３５の第２孔３７の孔形状および孔径により、タコメーター文字板１３のタコメーター表示部４２を集中的に照射するために、タコメーター文字板１３の外周部分およびタコメーター文字板１３の下方部分は照射しない。
【００４４】
第３文字板照明用ＬＥＤ８６が射出したＬＥＤ光は、第２孔３７および第３孔３８内を通って下方に向けて照射されるために、タコメーター文字板１３の左方側部分およびスピードメーター文字板１５の右方側部分を照射する第３照射範囲Ｃを創生する。このとき、第３照射範囲Ｃは、照射調整孔群３５の第２孔３７および第３孔３８の孔形状および孔径により、タコメーター文字板１３のタコメーター表示部４２の一部およびスピードメーター文字板１５のスピードメーター表示部４６を集中的に照射するために、タコメーター文字板１３の下方部分およびスピードメーター文字板１５の下方部分は照射しない。
【００４５】
第４文字板照明用ＬＥＤ８７が射出したＬＥＤ光は、第３孔３８内のみを通って下方に向けて照射されるために、スピードメーター文字板１５の中央部分を照射する第４照射範囲Ｄを創生する。このとき、第４照射範囲Ｄは、照射調整孔群３５の第３孔３８の孔形状および孔径により、スピードメーター文字板１５のスピードメーター表示部４６を集中的に照射するために、スピードメーター文字板１５の下方部分は照射しない。
【００４６】
第５文字板照明用ＬＥＤ８８が射出したＬＥＤ光は、第３孔３８、第４孔３９および第５孔４０内を通って下方に向けて照射されるために、スピードメーター文字板１５の中央部分および左方側部分を照射する第５照射範囲Ｅを創生する。このとき、第５照射範囲Ｅは、照射調整孔群３５の第３孔３８、第４孔３９および第５孔の孔形状および孔径により、スピードメーター文字板１５のスピードメーター表示部４６を集中的に照射するために、スピードメーター文字板１５の外周部分および下方部分は照射しない。
【００４７】
第１，第２，第３，第４，第５照射範囲Ａ，Ｂ，Ｃ，Ｄ，Ｅは、第１，第２，第３，第４，第５文字板照明用ＬＥＤ８４，８５，８６，８７，８８が射出したＬＥＤ光が、複数に分割されてタコメーター文字板１３およびスピードメーター文字板１５を照射するように創生されるために、各文字板１３，１５の主要な部分を均等に照射することができる。  これにより、各文字板１３，１５の端縁や各文字板１３，１５上の表示の無い部分等の照明が不要な部分を照射せずに、必要な部分への集中的な照射を行うことにより光の演出を行うことができる。
【００４８】
また、第１，第２，第３，第４，第５文字板照明用ＬＥＤ８４，８５，８６，８７，８８と、第１，第２，第３，第４，第５孔３６，３７，３８，３９，４０と、が不規則に配列されているために、第１，第２，第３，第４，第５照射範囲Ａ，Ｂ，Ｃ，Ｄ，Ｅが不規則に組み合わされる。そのため、照射調整孔群３５の孔形状および数を任意に設定することにより、各文字板１３，１５に対して複数に組み合わされるＬＥＤ光を変更できるので、各文字板１３，１５に対する輝度バランスを容易に調整して得ることができる。
【００４９】
上述した計器１の照明装置１０によれば、複数のＬＥＤ８４，８５，８６，８７，８８が射出したＬＥＤ光は、照射調整孔群３５を通って各文字板１３，１５を照射する際に、照射調整孔群３５が不規則に配列されているために、不規則に組み合わされる。これにより、照射調整孔群３５の孔形状および数を任意に設定することにより、各文字板１３，１５に対して複数に組み合わされるＬＥＤ光を変更できるので、各文字板１３，１５に対する輝度バランスを容易に調整して得ることができる。また、従来のものと比べて、カラーフィルタ等の付加部品を必要としないので、簡単な構造にすることができるとともに、ＬＥＤがメンテナンス性に優れるために交換の必要性が無いので、従来の照明バルブのものと比べて交換作業にかかる時間を削減することができる。
【００５０】
また、計器１の照明装置１０によれば、複数のＬＥＤ８４，８５，８６，８７，８８が射出したＬＥＤ光は、照射調整孔群３５を通じて進行することにより、複数に分割されて各文字板１３，１５を照射するために、各文字板１３，１５の主要な部分を均等に照射することができる。これにより、各文字板１３，１５の端縁や各文字板１３，１５上の表示の無い部分等の照明が不要な部分を照射せずに、必要な部分への集中的な照射を行うことにより光の演出を行うことができる。
【００５１】
そして、計器１の照明装置１０によれば、光源収容部３３内に複数のＬＥＤ８４，８５，８６，８７，８８を有するＬＥＤ基板２４が組み付けられて、光源収容部３３が照明カバー２５によって閉塞されることにより遮光されるので、外部にＬＥＤ光を漏洩させることなくＬＥＤ光を無駄なく使用することができる。
【００５２】
なお、本発明は、前述した実施形態に限定されるものではなく、適宜、変形、改良等が可能である。例えば、各文字板照明用ＬＥＤと、各孔と、の不規則な組み合わせは、図示したものに限定されず、各文字板照明用ＬＥＤの数、各孔の孔形状、孔径および配置は、この照明装置が適用される車両のコンセプトに対応して選択設定されるのが好ましい。或いは、各文字板照明用ＬＥＤの色を適宜変更して用いることにより、文字板を照明する光の更なる演出を行うことができる。
【００５３】
また、各ウォーニングレンズ、ターンレンズ、センターレンズに表示される項目は、上記の項目に限定されず、この計器が適用される車両の装備に応じて設定される。もちろん、その場合の表示項目に対応してメーター基板上にＬＥＤが取り付けられ、ケースに光路孔が形成される。
【図面の簡単な説明】
【００５４】
【図１】本発明に係る計器の照明装置の一実施形態が用いられる計器の分解斜視図である。
【図２】図１に示した計器の照明装置の断面図である。
【図３】図１に示した計器の照明装置における光の照射状態を示す斜視図である。
【図４】従来の計器の照明装置の断面図である。
【符号の説明】
【００５５】
１          計器
１０        照明装置
１２        見返し
１３        タコメーター文字板（文字板）
１５        スピードメーター文字板（文字板）
２１        ケース
２４        ＬＥＤ基板（回路基板）
２５        照明カバー（カバー部材）
２７        ひさし部
２９，３０  開口
３３        光源収容部
３５        照射調整孔群
８４        第１文字板照明用ＬＥＤ（ＬＥＤ）
８５        第２文字板照明用ＬＥＤ（ＬＥＤ）
８６        第３文字板照明用ＬＥＤ（ＬＥＤ）
８７        第４文字板照明用ＬＥＤ（ＬＥＤ）
８８        第５文字板照明用ＬＥＤ（ＬＥＤ）
【図１】
2006098079.tif 000003
【図２】
2006098079.tif 000004
【図３】
2006098079.tif 000005
【図４】
2006098079.tif 000006